(57)【要約】      （修正有）【課題】人手をかけずに所定量の顆粒を散布することができる自動顆粒散布装置を提供する。【解決手段】顆粒投入部１２を有する略円筒状の本体１０と、前記本体の両端開放部３１ａ、４１ａに固定される略円筒状の蓋３２、４２と、前記本体の中心軸に垂直に前記本体を貫通し前記本体内部でＬ状に屈曲する供給管２０と、前記本体に固定される軸５０と、を備え、前記軸が軸受部６０、７０によって支承され、前記本体が駆動手段８０によって回転する自動顆粒散布装置。【選択図】図１
0003233154.tif 000002
【実用新案登録請求の範囲】
【請求項１】
顆粒投入部を有する略円筒状の本体と、
前記本体の両端開放部に固定される略円筒状の蓋と、
前記本体の中心軸に垂直に前記本体を貫通し前記本体内部でL状に屈曲する短管と、
前記本体に固定される軸と、
を備え、
前記軸が軸受部によって支承され、前記本体が駆動手段によって回転する自動顆粒散布装置。
【請求項２】
前記本体が透明な覗窓を備える請求項１に記載の自動顆粒散布装置。
【請求項３】
前記本体は塩ビ製チーズに塩ビ管が挿設された本体であり、前記蓋は前記本体に挿着される塩ビ製キャップであり、前記L条に屈曲する短管は塩ビ製エルボに塩ビ管を接続した短管であり、前記軸は寸切荒先であり、前記軸受軸部は前記軸の挿通孔を設けたステンレス製L型アングルである請求項１又は２に記載の自動顆粒散布装置。
【考案の詳細な説明】
【技術分野】
【０００１】
本考案は、所定の量の顆粒を散布する装置に関する。
【背景技術】
【０００２】
魚の養殖や農作物の栽培においては顆粒状の餌又は肥料を散布する作業が必要である。この場合において散布する餌又は肥料の量は多すぎても少なすぎても養魚や農作物の成長に悪い影響を及ぼす。
【０００３】
例えばヤマメは高級魚として養殖がおこなわれているが、孵化してしばらくの間は昼夜を問わず１時間おきに直径1mm以下の顆粒状の餌を給餌することが必要でありその後も１年間は１日１０回程度の給餌が必要である。給餌回数を減らそうとして１度の餌の量を増やしたりすると稚魚が食べ残した餌が養魚池を汚してしまう。ヤマメはキレイな水でなければ生存できないため多くの稚魚が死滅することになる。また、稚魚の成長にしたがって餌の量を変えていく必要がある。
【０００４】
このように魚の養殖には人手がかかるので、所定の量の餌を給餌することができる給餌装置を必要としている。特許文献１には餌溝の底壁の中に設けられた落下溝に連通している分割空間を設け、分割空間を２分する分割板を回転させることによって餌溝から分割空間に落下した所定の量の餌を養魚池に供給するようにした自動給餌装置が開示されている。特許文献２は金魚等の観賞魚に餌を与えることを目的としているが、その外円周上に羽根を有する回転体を支承して収容する餌供給ケースの所定高さに設けられた餌供給口の開度を調節することにより所定量の餌を給餌する装置を開示している。
【先行技術文献】
【特許文献】
【０００５】
【特許文献１】特許第６８０７５０１号公報
【特許文献２】特開平７―２１３１９１号公報
【考案の概要】
【考案が解決しようとする課題】
【０００６】
本考案の課題は人手をかけずに所定量の顆粒を散布することができる装置を提供することである。
【課題を解決するための手段】
【０００７】
本考案は、顆粒投入部を有する略円筒状の本体と、前記本体の両端開放部に固定される略円筒状の蓋と、前記本体の中心軸に垂直に前記本体を貫通し前記本体内部でL状に屈曲する短管と、前記本体に固定される軸と、を備え、前記軸が軸受部によって支承され、前記本体が駆動手段によって回転する自動顆粒散布装置に関する。
【０００８】
また、前記本体が透明な覗窓を備えてもよい。
【０００９】
また、前記本体は塩ビ製チーズに塩ビ管が挿設された本体であり、前記蓋は前記本体に挿着される塩ビ製キャップであり、前記L条に屈曲する短管は塩ビ製エルボに塩ビ管を接続した短管であり、前記軸は寸切荒先であり、前記軸受軸部は前記軸の挿通孔を設けたステンレス製L型アングルであってもよい。
【００１０】
また、前記駆動手段は２４時間タイマーと連動するモータであってもよい。
【考案の効果】
【００１１】
本考案は人手をかけずに所定量の顆粒を散布することができる自動顆粒散布装置を提供する。
【図面の簡単な説明】
【００１２】
【図１】本考案の１つの実施形態の詳細構成図である。
【図２】本考案によって所定量の餌が供給される機序説明図である。
【図３】本考案の１つの実施形態を養魚池に設置した全体構成図である。
【図４】本考案の１つの実施形態の変形例を示す図である。
【考案を実施するための形態】
【００１３】
図１は本考案の１つの実施形態であるヤマメの養殖のための自動顆粒散布装置１の詳細構成図を示す。本体１０は投入部１２とその左右の円筒部３０および４０で構成される。餌ｆは投入部１２の投入口１２aから投入し本体１０の内部１０aに貯留される。投入部１２の投入口１２ａの内面はめねじ１２ｂが螺刻されておりフタ１３を螺入することでフタ１３の円盤１３ｂと投入部１２の投入筒１２ｃのフランジ１２ｄとの密着によって本体１０の内部１０aを密封する。本体１０は本体１０と共に回転する軸５０が軸受部６０および７０によって支承されることにより支持されている。軸５０は軸受部７０を挿通して駆動部８０に連結する（以後、投入部１２を境に左側を駆動側、右側を反駆動側と呼ぶ。）。
【００１４】
投入部１２は水道配管等に用いられる市販のポリ塩化ビニル（以下「塩ビ」と略す。）製のチーズである。同様に円筒部３０および４０はそれぞれ塩ビ製のパイプである円筒３１および４１に塩ビ製のキャップ３２および４２を篏合させたものである。反駆動側円筒３１および駆動側円筒４１はそれぞれ投入部１２の反駆動側継手１２eおよび駆動側継手１２ｆに篏合されている。駆動側円筒４１は投入部１２の駆動側継手１２ｆに接着材ｗ又は溶接によって固着固定されているが、反駆動側円筒３１は投入部１２の反駆動側継手１２e（以後、部番も一緒に記載する場合には「反駆動側」等の修飾語は省略することがある。）に着脱可能に篏合されている。
【００１５】
投入部１２の投入筒１２ｃの内壁にはめねじ１２ｂが螺刻されていてフタ１３のおねじ１３aと螺合することで、投入筒１２ｃのフランジ１２ｄとフタ１３の円盤１３ｂとを密着させる。
【００１６】
円筒３１はその開放端３１aがキャップ３２に挿篏されておりキャップ３２とキャップ３２の袖３２ｂにおいて接着剤ｗ又は溶接によって固着固定される。同様に、円筒４１はその開放端４１aが塩ビ製のキャップ４２に挿篏されておりキャップ４２とキャップ４２の袖４２bにおいて接着剤ｗ又は溶接によって固着固定される。キャップ３２および４２のそれぞれの円盤３２aおよび４２aの中心には軸５０を挿通させる孔３２cおよび４２cが穿孔されている。
【００１７】
軸５０がキャップ３２および４２の円盤３２aおよび４２aの孔３２cおよび４２cを挿通して、反駆動側軸端５０aおよび駆動側軸端５０ｂにおいて、それぞれ軸受部６０および７０によって支承される。軸受部６０および７０は市販のステンレス製L型アングルであるアームアングル６１および７１の鉛直面６１aおよび７１aに軸支承孔６１cおよび７１cを穿孔したものである。軸５０は、キャップ４２の円盤４２aを両側から挟んだ六角ナット５１、５１を、座金５２、５２を介して締め付けることによりキャップ４２に固定される。したがって、軸５０が回転することによって本体１０も回転する。なお、軸５０は全ねじ棒である市販の寸切荒先である。
【００１８】
軸５０の駆動側軸端５０bはばねカップリング８２を介してギアドモータ８１と連結している。ギアドモータ８１は市販のステンレス製L型アングルであるモータ固定アングル８３の鉛直面８３aにねじ８４と六角ナット８５によって固定されている。モータ固定アングル８３の水平面８３bは同様に市販のL型アングルであるブラケット８７の水平面８７bに六角ボルト９３とナット９５で固定されている。ブラケット８７の垂直面８７aはアームアングル７１の鉛直面７１aに六角ボルト９３とナット９５で固定されている。
【００１９】
供給管２０がキャップ３２の袖３２ｂと円筒３１との連通孔３３に挿設されて円筒３１および袖３２ｂに接着材ｗ又は溶接により固定される。供給管２０は塩ビ製パイプである排出管２１の一端を塩ビ製の９０度エルボである屈曲管２２に篏挿したものである。供給管２０は、屈曲管２２が円筒３１の内壁３１ｂに可能な限り近づくように、又屈曲管２２の開放端である取込口２４が本体１０の回転方向Rに向けて軸５０に対して円周方向に向けるように、固定するとよい。
【００２０】
駆動側円筒４１には覗窓４５が設けられる。覗窓４５は円筒４１の一部に矩形の開口部４１cを加工し内壁４１bにアクリル板４６をねじ４７と六角ナット４９で固定したものである。
【００２１】
〔機序説明〕
図２は本考案によって所定量の餌ｆが供給される機序説明図である（図は簡略化してある。）。本体１０が軸５０を中心として回転方向Rに回転するにしたがって、供給管２０が餌ｆを取込んでからを排出（給餌）するまでの過程を（ａ）から（ｆ）に示す。
【００２２】
図２（ａ）では供給管２０は空であるが、図２（ｂ）から図２（ｄ）へと進むにしたがって供給管２０は餌ｆを蓄え、図２（ｅ）から図２（ｆ）で餌ｆを排出、すなわち給餌する。本体１０が１回転することによって給餌できる餌ｆの量は、供給管２０の内径Ｄと屈曲管２２の長さＬに依存する。
【００２３】
〔養魚池への設置〕
図３は本考案の１つの実施形態を養魚池１１０に設置して運転している全体構成図である。本考案に係る実施形態の１つである自動顆粒散布装置１が、養魚池１１０の上にワイヤスリング１００を介してクレーンなど（不図示）で吊り下げられる。アームアングル６１および７１はその水平面６１ｂおよび７１ｂを六角ボルト９３とナット９５で平鋼と呼ばれる市販のステンレス製フラットバーである連結板９１に固定することで連結されている。連結板９１の反駆動側端部９１aおよび駆動側端部９１ｂにおいては六角ボルト９３の代わりにアイボルト９２が用いられる。
【００２４】
ギアドモータ８１は２４時間タイマー９７および電源スイッチ９８を介して１００Ｖの交流電源９９と電源コード９６で連結される。ギアドモータ８１とはモータと減速歯車が一体となった市販の製品であり、出力側の軸回転数は凡そ１ＲＰＭである。
【００２５】
〔実施形態の効果〕
本考案の実施形態の１つである上述の自動顆粒散布装置１によれば、所定量の餌ｆを、人手をかけずに給餌することができる。
【００２６】
自動顆粒散布装置１によれば給餌中に本体１０内の餌ｆの残量を視認することができるので、給餌を絶やしてしまう事故を防止することができる。
【００２７】
自動顆粒散布装置１はすべて市販の材料で制作することができるので材料費が安価であり、制作工数も低くおさえることができる。
【００２８】
〔変形例〕
図４は自動顆粒散布装置１の変形例を示す図であって、稚魚の成長に伴って餌ｆの給餌の所定量を増やすためのいくつかの変形例である。
【００２９】
図４（ａ）に示すように反駆動側円筒部３０は投入部１２から抜き取ることができる。また、投入部１２に再篏合することもできる。
【００３０】
図４（ｂ）は屈曲管２２の開口端である取込口２４に管２５を篏挿することにより屈曲部長さＬ（図２を参照。）を大きくした変形例である。管２５を篏挿した供給管１２０が挿設された円筒部１３０を投入部１２に再篏合することにより、本体１０が１回転するときの餌ｆの給餌の所定量を増やすことができる。
【００３１】
図４（ｃ）は供給管２０の内径Ｄよりも大きい内径ＬＤを有する供給管２２０を挿設した円筒部２３０を示す。円筒部３０に代えて円筒部２３０を投入部１２に再篏合することによっても餌ｆの給餌の所定量を増やすことができる。
【００３２】
図４（ｄ）は供給管２０と供給管２２０を、軸方向にSの間隔、円周方向に位相差Pで供給管２２０の取込口２２４の方向をＰがゼロ（０°）のときに供給管２０の取込口２４とは正反対になる方向に向けて、１つの円筒部３３０に挿設した変形例を示す。円筒部３３０を投入部１２に再篏合することにより、本体１０がRの方向に回転するときには餌ｆは供給管２２０の取込口２２４から供給管２２０に入るが、供給管２０には入らない。これとは逆に本体１０がＲＲ方向に回転するとき餌ｆは供給管２０の取込口２４から供給管２０に入るが、供給管２２０には入らないので、本体１０は２つの異なる所定量の餌ｆの給餌をすることができる。なお、Sは供給管２０と供給管２２０が互いに干渉しない間隔であればよく、位相差Pは任意でよい。
【００３３】
本考案については１つの実施形態のみを示したが、本考案と技術的思想を一にする本実施形態以外の実施形態が可能である。例えば、本実施形態では駆動手段として交流電源を使用するモータを使用したが、直流電源を使用するモータでもよく、さらにモータでなくても本体１０を回転させる手段であれば何でもよい。
【符号の説明】
【００３４】
１    自動顆粒散布装置
１０  本体
１２  投入部
１３  フタ
２０  供給管
２５  管
３１  反駆動側円筒
３２  反駆動側キャップ
４１  駆動側円筒
４２  駆動側キャップ
４５  覗窓
５０  軸
６１  反駆動側アームアングル
７１  駆動側アームアングル
８１  ギアドモータ
８２  ばねカップリング
８３  モータ固定アングル
８７  ブラケット
９１  連結板
９７  ２４時間タイマー
９８  電源スイッチ
９９  １００V交流電源
１００  ワイヤスリング
１１０  養魚池
ｆ  餌
ｗ  接着剤
D  供給管内径
L  屈曲部長さ
R  回転方向
【図１】
0003233154.tif 000003
【図２】
0003233154.tif 000004
【図３】
0003233154.tif 000005
【図４】
0003233154.tif 000006